【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
装置本体にイヤホンが接続されて成るダイバシティ受信装置において、
直交周波数分割多重方式により変調された電波信号を受信する第１及び第２の受信手段と、
この第１及び第２の受信手段夫々によって受信された受信信号を合成する合成手段と、
この合成手段により合成された信号を復調する復調手段と、
を備え、前記第１の受信手段は前記装置本体内に設けられ、前記第２の受信手段は前記イヤホン内に設けられると共に、前記第１及び第２の受信手段が互いに所定の距離を有して配置されていることを特徴とするダイバシティ受信装置。
【請求項２】
前記第１の受信手段は前記装置本体内にアンテナを有し、前記第２の受信手段は前記装置本体と前記イヤホンとを電気的に接続する信号線をアンテナとすることを特徴とする請求項１記載のダイバシティ受信装置。
【請求項３】
装置本体に左右一対のイヤホンが接続されて成るダイバシティ受信装置において、
直交周波数分割多重方式により変調された電波信号を受信する第１及び第２の受信手段と、
この第１及び第２の受信手段夫々によって受信された受信信号を合成する合成手段と、
この合成手段により合成された信号を復調する復調手段と、
を備え、前記第１の受信手段が前記左右一対の一方のイヤホン内に設けられ、前記第２の受信手段が他方のイヤホン内に設けられると共に、前記第１及び第２の受信手段が互いに所定の距離を有して配置されることを特徴とするダイバシティ受信装置。
【請求項４】
前記第１の受信手段は前記装置本体と前記一方のイヤホンとを電気的に接続する信号線をアンテナとし、前記第２の受信手段は前記装置本体と前記他方のイヤホンとを電気的に接続する他の信号線をアンテナとすることを特徴とする請求項３記載のダイバシティ受信装置。
【請求項５】
装置本体に左右一対のイヤホンが接続されて成るダイバシティ受信装置において、
直交周波数分割多重方式により変調された電波信号を受信する第１及び第２の受信手段と、
前記第１及び第２の受信手段により受信された前記電波信号を増幅する第１及び第２の増幅手段と、
この第１及び第２の増幅手段夫々によって増幅された受信信号を加算する加算手段と、
この加算手段により加算された信号を増幅し復調する復調手段と、
を備え、前記第１の受信手段が前記左右一対の一方のイヤホン内に設けられ前記第２の受信手段が他方のイヤホン内に設けられると共に、前記第１及び第２の受信手段が互いに所定の距離を有して配置されることを特徴とするダイバシティ受信装置。
【請求項６】
直交周波数分割多重方式により変調された電波信号を受信する第１の受信手段を装置本体に設け、直交周波数分割多重方式により変調された電波信号を受信する第２の受信手段をイヤホンに設け、前記装置本体に前記イヤホンが接続されて成るダイバシティ受信装置を用いたダイバシティ受信方法であって、
前記第１及び第２の受信手段夫々によって受信された受信信号を合成する合成ステップと、
この合成ステップにより合成された信号を復調する復調ステップと、
を含むダイバシティ受信方法。
【請求項７】
直交周波数分割多重方式により変調された電波信号を受信する第１の受信手段を左右一対の一方のイヤホンに設け、直交周波数分割多重方式により変調された電波信号を受信する第２の受信手段を他方のイヤホンに設け、前記装置本体に前記左右一対のイヤホンが接続されて成るダイバシティ受信装置を用いたダイバシティ受信方法であって、
前記第１及び第２の受信手段夫々によって受信された受信信号を合成する合成ステップと、
この合成ステップにより合成された信号を復調する復調ステップと、
を含むダイバシティ受信方法。
【請求項８】
直交周波数分割多重方式により変調された電波信号を受信する第１の受信手段を左右一対の一方のイヤホンに設け、直交周波数分割多重方式により変調された電波信号を受信する第２の受信手段を他方のイヤホンに設け、前記装置本体に前記左右一対のイヤホンが接続されて成るダイバシティ受信装置を用いたダイバシティ受信方法であって、
前記第１及び第２の受信手段により受信された前記電波信号を増幅する第１及び第２の増幅ステップと、
この第１及び第２の増幅ステップ夫々によって増幅された受信信号を加算する加算ステップと、
この加算ステップにより加算された信号を増幅し復調する復調ステップと、
を含むダイバシティ受信方法。
【手続補正２】
【補正対象書類名】明細書
【補正対象項目名】００１３
【補正方法】変更
【補正の内容】
【００１３】
以上の課題を解決するために、請求項１に記載の発明は、装置本体にイヤホンが接続されて成るダイバシティ受信装置（例えば、図２の受信装置１）において、
直交周波数分割多重方式により変調された電波信号を受信する第１及び第２の受信手段（例えば、図２の固定アンテナＡＮＴ１、小型アンテナ７０ｂ）と、
この第１及び第２の受信手段夫々によって受信された受信信号を合成する合成手段（例えば、図２の合成回路３０）と、
この合成手段により合成された信号を復調する復調手段（例えば、図２の復調回路４０）とを備え、
前記第１の受信手段は前記装置本体内に設けられ前記第２の受信手段は前記イヤホン内に設けられると共に、前記第1及び第２の受信手段が互いに所定の距離を有して配置されていることを特徴としている。
【手続補正３】
【補正対象書類名】明細書
【補正対象項目名】００１４
【補正方法】変更
【補正の内容】
【００１４】
また、請求項６に記載の発明は、直交周波数分割多重方式により変調された電波信号を受信する第１の受信手段を装置本体に設け、直交周波数分割多重方式により変調された電波信号を受信する第２の受信手段をイヤホンに設け、前記装置本体に前記イヤホンが接続されて成るダイバシティ受信装置（例えば、図２の受信装置１）を用いたダイバシティ受信方法であって、
前記第１及び第２の受信手段夫々によって受信された受信信号を合成する合成ステップ（例えば、図２の合成回路３０）と、
この合成ステップにより合成された信号を復調する復調ステップ（例えば、図２の復調回路４０）とを含んでいる。
【手続補正４】
【補正対象書類名】明細書
【補正対象項目名】００１８
【補正方法】変更
【補正の内容】
【００１８】
請求項３に記載の発明は、装置本体に左右一対のイヤホンが接続されて成るダイバシティ受信装置（例えば、図３の受信装置１ｂ）において、
直交周波数分割多重方式により変調された電波信号を受信する第１及び第２の受信手段（例えば、図３の小型アンテナ７０ａ、７０ｂ）と、
この第１及び第２の受信手段夫々によって受信された受信信号を合成する合成手段（例えば、図３の合成回路３０）と、
この合成手段により合成された信号を復調する復調手段（例えば、図３の復調回路４０）とを備え、
前記第１の受信手段が前記左右一対の一方のイヤホン内に設けられ前記第２の受信手段が他方のイヤホン内に設けられると共に、前記第１及び第２の受信手段が互いに所定の距離を有して配置されることを特徴としている。
【手続補正５】
【補正対象書類名】明細書
【補正対象項目名】００１９
【補正方法】変更
【補正の内容】
【００１９】
また、請求項７に記載の発明は、直交周波数分割多重方式により変調された電波信号を受信する第１の受信手段を左右一対の一方のイヤホンに設け、直交周波数分割多重方式により変調された電波信号を受信する第２の受信手段を他方のイヤホンに設け、前記装置本体に前記左右一対のイヤホンが接続されて成るダイバシティ受信装置（例えば、図３の受信装置１ｂ）を用いたダイバシティ受信方法であって、
前記第１及び第２の受信手段夫々によって受信された受信信号を合成する合成ステップ（例えば、図３の合成回路３０）と、
この合成ステップにより合成された信号を復調する復調ステップ（例えば、図３の復調回路４０）とを含んでいる。
【手続補正６】
【補正対象書類名】明細書
【補正対象項目名】００２３
【補正方法】変更
【補正の内容】
【００２３】
請求項５に記載の発明は、装置本体に左右一対のイヤホンが接続されて成るダイバシティ受信装置（例えば、図４の受信装置１ｃ）において、
直交周波数分割多重方式により変調された電波信号を受信する第１及び第２の受信手段（例えば、図４の小型アンテナ７０ｃ、７０ｄ）と、
前記第１及び第２の受信手段により受信された前記電波信号を増幅する第１及び第２の増幅手段（例えば、図４のＬＮＡ回路７２ｃ、７２ｄ）と、
この第１及び第２の増幅手段夫々によって増幅された受信信号を加算する加算手段（例えば、図４の加算回路６０）と、
この加算手段により加算された信号を増幅し復調する復調手段（例えば、図４の復調部９ｃ）とを備え、
前記第１の受信手段が前記左右一対の一方のイヤホン内に設けられ前記第２の受信手段が他方のイヤホン内に設けられると共に、前記第1及び第２の受信手段が互いに所定の距離を有して配置されることを特徴としている。
【手続補正７】
【補正対象書類名】明細書
【補正対象項目名】００２４
【補正方法】変更
【補正の内容】
【００２４】
請求項８に記載の発明は、直交周波数分割多重方式により変調された電波信号を受信する第１の受信手段を左右一対の一方のイヤホンに設け、直交周波数分割多重方式により変調された電波信号を受信する第２の受信手段を他方のイヤホンに設け、前記装置本体に前記左右一対のイヤホンが接続されて成るダイバシティ受信装置（例えば、図４の受信装置１ｃ）を用いたダイバシティ受信方法であって、
前記第１及び第２の受信手段により受信された前記電波信号を増幅する第１及び第２の増幅ステップ（例えば、図４のＬＮＡ回路７２ｃ、７２ｄ）と、
この第１及び第２の増幅ステップ夫々によって増幅された受信信号を加算する加算ステップ（例えば、図４の加算回路６０）と、
この加算ステップにより加算された信号を増幅し復調する復調ステップ（例えば、図４の復調部９ｃ）とを含んでいる。